(57)【特許請求の範囲】
【請求項１】
医療用安全処理キャップ・アセンブリであって、
ニードルハブと、該ニードルハブを貫いて配されたニードルであって、患者が受け入れる側の端部およびその反対側の端部を有するニードルとを有するニードルハブ・アセンブリと、
前記ニードルハブ・アセンブリを完全に囲い込むように配され、基端部と末端部と該基端部の外側位置に配されて露出したフランジ（２０）とを有する外側カバー（６）と、
基端面（２４４）、外面（２４６）、基端面（２４４）から延びる少なくとも一つの小身（２５２）及び蝶番（８２）で取り付けられたフランジ延長部（１２０）を有する安全廃棄用キャップ（３０４）であって、該フランジ延長部（１２０）は、前記外側カバー用のホール（３１０）であって、前記外側カバーが該ホールに配されたとき、該外側カバーの前記露出したフランジが上に存してとどまるレッジ（３１２）を有するホール（３１０）と、ロック用の係合ホール（８０）とを含み、前記小身（３５２）は変形可能で、前記係合ホール（８０）に入るときに該小身の歪を引き起こす傾斜末端面（３６２）と基端面（３６０）を有し、前記係合ホール（８０）は前記小身（３５２）がロックするときに該基端面（３６０）に接触してロッキング抵抗をもたらすロッキング・レッジ（３５６）を含み、前記外側カバーに完全に囲い込まれた前記ニードルハブ・アセンブリの前記ニードルの前記患者が受け入れる側の端部とその反対側の端部が工具を使用すること無しには開けられないロック状態で保護されるように、前記外側カバー（６）の露出したフランジ（２０）をロックする、安全廃棄用キャップと、
を備えることを特徴とする医療用安全処理キャップ・アセンブリ。
【発明の詳細な説明】
【０００１】
【発明の属する技術分野】
本発明は、医療用製品のための安全装置に関する。本発明は、より詳しくは、ペンニードル用の安全処理キャップに関する。
【０００２】
【従来の技術】
医療技術におけるペンニードルの今日の使用は、ニードルから紙ラベルを取り除いて患者が受け入れるのと反対側の端部を露出し、該反対側のニードルの端部を薬剤カートリッジを含む注入ペンに挿入するという行為に患者を従事させる。使用後、ニードルハブは、装置から取外され、通常シャープス容器に廃棄される。この過程は、ペンニードルを廃棄する通常の方法を示すもので、安全且つ簡易なペンニードルの廃棄方法を提供するが、医療送り装置の使用の間、使用者はシャープス容器を持ち運ばなければならないので、使用者にとって便利な方法を提供するわけではない。注入ペンの使用とペンニードルの廃棄との間には通常時間差がある。
【０００３】
ラブの米国特許番号第５，９７１，９６６号に見られるように、先行技術におけるこの時間差は、ホック式のニードル・ユニットによるペンニードルの貯蔵および最終的な廃棄のためのマガジンを使用することにより短縮することができる。しかしながら、この装置は、患者が受け入れるのと反対側のニードルの端部（以降、「ＮＰ端部」と称する）を露出したままにさせ、血液性の病原体を含む医療用シャープを露出させる可能性を有する。今日の医療技術においては、結果的にそのような病原菌にさらされるような様々な病気のために、血液性の病原菌にさらされることを避ける必要が大きい。つまり、この先行技術器具は、ニードルのＮＰ端部の廃棄および保護を提供することはない。さらに、それは、ペンニードルの患者の受け入れ側の端部を安全に保管することによってのみ、ペンニードルの安全な廃棄における一時的な安全感覚を高める。
【０００４】
安全廃棄用キャップを提供する先行技術における補足的な試みは、エジラーセンの米国特許番号第５，９６８，０２１で参照可能である。この器具は、ハブに取り付けられたニードルを備えたニードルユニットを提供する。該ニードルユニットは、スリーブがペンニードルの接続片にスナップロックすることができるように、変形可能な材料で作成されている。この医療用器具は、前述の先行技術とともに、患者が受け入れる側のニードルの端部からの保護は提供するが、患者が受け入れるのと反対側の端部を露出するため、結果的に不注意によるニードルの一突きにつながる。そのため、使用直後のペンニードルの簡便且つ容易な廃棄を許容する技術をさらに必要としている。該器具は、ペンニードルの患者の受け入れ側端部とＮＰ端部の両方に保護を与えるようなアセンブリを備えるべきである。
【０００５】
【発明が解決しようとする課題】
本発明は、ペンニードルが使用された後に患者の受け入れ側端部とその反対側の端部の両方を保護する安全廃棄用キャップを提供することにより先行技術の不利益を回避する。該安全廃棄用キャップアセンブリは、「シャープス予防策」を備える注入ペンを提供する。この特徴は、患者がシャープス容器またはその他の適当な廃棄ユニットを携帯する必要なく、患者にとって安全なニードルの廃棄を許容する。さらに、これは、使用時から適当な廃棄容器へのペンニードルの最終的な廃棄までの間のペンニードルの安全な携帯を患者に許容する。
【０００６】
【課題を解決するための手段】
よって、本発明の一つの特徴は、頂部、底部、側面部を有する安全廃棄用キャップを提供することである。頂部および底部は、ともに、患者が受け入れるのと反対側のニードルの端部に保護を与えるために中実である。該廃棄用キャップは、少なくとも一つの小身をさらに含んでいる。該小身は、キャップに配され、ペンニードルの外側カバーで永久的にロックするために用いられる。該外側カバーは、患者が受け入れる側のニードルの端部への保護を提供する。それにより、ペンニードルの患者が受け入れる側の端部とその反対側の端部は、確実にカバーされる。
【０００７】
【発明の実施の形態】
本発明は、多数の異なる形態での実施形態により充足されるが、本開示が本発明の原理の例示とみなされるべきであることを理解した上で、本発明の好ましい実施形態は、図面に図示され、本明細書中に詳細に記載される。本発明の範囲はこれらの図示された実施形態に限定されることを意図されていない。本発明の範囲は、添付の請求項およびその均等物によって決定される。
【０００８】
図に関して、図１は、概ね番号２で示される本発明による安全な廃棄用アセンブリを図示している。アセンブリ２は、基端部１２と末端部１０を有する。アセンブリ２は、ニードルハブ・アセンブリ３０、外側カバー６および安全廃棄用キャップ４も含む。該ニードルハブ・アセンブリが外側カバーに取り付けられるとき、アセンブリは、図２に図示するような要領で組み立てられる。
【０００９】
外側カバー６は、複数の末端リブ１４と複数の基端リブ１６を含む。基端リブ１６および／または末端リブ１４は、本発明の機能を妨げることなく、外側カバーから省略することができる。リブの機能は、外側カバーの一般的な構造上の強化のためである。リブは、使用者がペンニードルを薬剤送り器具に取り付けまたは組み立てることを許容するのにも役立つ。外側カバーは、末端部１０とともに基端部２１を有する。露出されたフランジ２０は、基端部２１に配されるのが好ましい。しかしながら、該フランジは、外側カバーのどの位置に配されてもよいということは、本発明の範囲内である。そのような位置は、例えば、外側カバーの外側位置および内側位置の両方を含む。しかしながら、露出したフランジは、図１乃至３に図示されるように、外側カバーの外側位置にあるのが好ましい。
【００１０】
外側カバー６は、図２に示されるように、外径「Ｄ」とフランジ厚「ｔ」を有する。安全廃棄用キャップの小身が内側に配されている場合、図３に示されるように、外径「Ｄ」は、キャップの内径「Ｃ」よりも小さいのが好ましい。さらに、外側カバーは、図２に示されるとおり、外径「Ｂ」を有する。径「Ｂ」は径「Ｄ」よりも小さいのが好ましい。概ね、径「Ｄ」は、約０．５００から０．７００の間である。加えて、外側カバーは、好ましくは、約０．０３から０．０５の間のフランジ厚「ｔ」を有する。外径「Ｂ」は、さらに、０．５から０．５３０の間であるのが好ましい。
【００１１】
安全な廃棄キャップ４は、頂部２６、側面部２４、および少なくとも一つの小身５２を含む。該キャップは、図３に示されるように、小身間の距離である径「Δ」を有する。径「Δ」は、好ましくは、径「Ｃ」よりも小さく、さらに外側カバーの径「Ｄ」よりも小さい。小身５２は、キャップ４の内側周縁に配されるが、本発明が機能するためには、必ずそのように配されなければならないわけではない。該小身は、好ましい実施の形態において記載されているように、外側カバーがキャップの内側の替わりにキャップを上からロックするように、外側に配されてもよい。
【００１２】
安全廃棄用キャップ４は、ホール６４を画成し、好ましくは、該ホールには小身が配される。しかしながら、前述の通り、小身５２がキャップの外側に配され得ることは、本発明の範囲内である。安全廃棄用キャップがニードルハブ４０の内部または外側カバーの内側に配されるように、小身５２を側面２４に配されるようにすることは、本発明の範囲内である。該キャップは、図３に図示されるように、ホールの一部分としての末端開口部６６も有する。さらに、該キャップは、小身の基端面６０からキャップの内面４４までの距離を決定する長さ「Ｔ」を含む。長さ「Ｔ」は、キャップの中にロックされ得る外側カバーのフランジ厚を決定する。よって、長さ「Ｔ」は、フランジ厚「ｔ」よりも大きいことが好ましい。
【００１３】
安全廃棄用キャップ４は、図１乃至３に図示されるように、外面４６と内面４４をさらに含む。安全廃棄用キャップ４の内面４４は、ニードルの基端部３４からの保護を提供するので、ペンニードルが最終的に廃棄されるときに、該ニードルの患者が受け入れる側の端部とその反対側の端部の両方が、偶発的ないかなるニードルによる一刺しも妨げるよう確実に保護される。
【００１４】
ニードルアセンブリ３０に関して、ニードルハブ４０の患者が受け入れるのと反対側の端部と安全廃棄用キャップ４は、基端部３４が安全キャップの内面４４に接触しないようにデザインされている。図２に図示されるように、ニードルの基端部３４とペンニードルハブの基端面４２との間の距離は、ニードルの基端部がキャップの内側の面に接触しないようになっている。ペンニードルハブ・アセンブリ３０には、ニードル３６がさらに含まれる。該ニードル３６は、基端部３４、または患者が受け入れるのと反対側の端部および末端部３２、もしくは患者が受け入れる側の端部を有する。さらに、ニードルハブ４０も含まれている。ニードルハブ４０は、前述したように、外側のルーフ５０と基端面４２を有する。ニードルハブ４０は、ニードルハブ・アセンブリが薬剤送り器具に貫通されることができるように、複数のスレッド４３を含んでいる。
【００１５】
外側カバーがニードルハブに取りつけられるとき、基端面４２は、該外側カバーの露出したフランジから離れているのが好ましい。この位置決めは、ニードルハブの内部でのニードルの位置決めと同様、ニードルの基端部が安全キャップの内面に接触しないことを確実にしている。
【００１６】
さらに、キャップ４は、小身切除部分２２を有していてもよいが、基端部３４の露出防止等のために機能するためには、本発明には必要とされていない。切除部分２２は、小身が自由に動いて外側カバーにロックするのを許容する。切除部分２２がない場合でも、小身は、キャップまたは内面４４に位置されることにより自由に動かされる。加えて、小身は、小身用の切除部分なしでも、可撓性材料により製造された小身を有することにより、図２に図示されるように自由に動き位置されてもよい。そのような可撓性材料は、熱可塑性エラストマー、熱可塑性ポリマー、ポリプロピレン、ポリエチレン、対衝撃性ポリスチレン、およびその他のゴム成型熱可塑性プラスチックを含むが、それらに限定されない。
【００１７】
外側カバーのフランジ２０は、基端側面５４と末端側面５６とをさらに有する。末端側面５６は、外側カバーが安全廃棄用キャップから取り除かれるのを避けるために利用される。フランジの基端側面５４は、外側キャップとニードルハブ・アセンブリ３０がホール６４に入り込むことを許容するために小身を変形させるべく使用される。さらに、ニードルハブ・アセンブリ３０にとって、安全廃棄用キャップがニードルペン用ハブと外側カバーの外側に配される替わりに、外側カバー６が安全廃棄用キャップの外側に配され得ることは、本発明の範囲内である。該安全廃棄用キャップは、内包されたニードルハブの再使用を防止するために外側カバーの外側に配される。
【００１８】
図３に示されるように、小身５２は、小身の基端面６０と小身の末端面６２をさらに含む。小身の基端面は、フランジの末端面６２と小身の基端面６０との間の接触を許容し、外側カバーの除去を防止する。小身の末端面６２は、外側カバーのフランジの基端側面５４と接触するとき、小身の変形を提供する。小身が、安全廃棄用キャップと外側カバーの間に恒久的な係合を提供するような技術に属する当業者に周知のいかなる構造でもあり得ることは、本発明の範囲内である。そのような構造は、カンチレバー・スナップ、恒久的スレッド係合、カム構成、自己粘着粘性、またはその他の粘着構造を含むが、それらに限定されない。小身５４は、安全廃棄用キャップとの完全な封止を余儀なくするために、フランジの基端部が小身に押しつけられるときに、小身の変形を許容するよう傾斜した形状を有する小身の末端面６２を含むのが好ましい。フランジ厚は小身の基端面とキャップの内面との間で確実に係合するので、外側カバーの除去は小身の基端面６０の構造によって回避される。
【００１９】
安全廃棄用キャップ４は、外面４６をさらに含む。外面４６は、印（ｉｎｄｉｃｉａ）４８を提供することができる。印は、安全のための警告、製品の確認、会社のロゴ等を含むことができる。内面４４は、ニードル３６の基端部３４の露出を防ぐ構造とされているのが好ましい。
【００２０】
図３は、本発明の安全廃棄用キャップの断面図である。小身切除部分２２は小身の下に図示されている。しかしながら、小身切除部分は、外側カバーのフランジが小身によってロックされるのを許容するために、安全廃棄用キャップ上のいかなる位置にあっても、本発明の範囲内である。図３において、外側カバーのフランジは、小身切除部分から外側に向けて突起している。さらに、カバーのフランジの基端側面５４と小身の基端面６０によって、外側カバーのフランジが、安全廃棄用キャップからの除去を防止される。
【００２１】
或いは、好ましい実施形態においては、該キャップは外側カバーの一部として成形されていてもよい。そのような方法は、蓋部とフランジが一体となるように一体蝶番８２を組み込むことを含んでいるであろう。全ての実施形態において、フランジと小身との間の接触は、小身の基端面またはフランジの拡張部との接触によって、フランジが所定の位置に維持される。
【００２２】
図４に図示されるとおり、基端面６０と末端面６２を有する小身５２は、安全キャップを外側カバー上にロックし、ニードルハブ・アセンブリを内部に閉じ込め、ニードル３６の患者の受け入れ側の端部およびその反対側の端部への露出を防止する。図２に示される実施形態と同様、小身の基端面６０は、安全廃棄用キャップからのフランジ２０の除去を防止する。図３に記載された好ましい実施形態によれば、図４中の小身は、安全廃棄用キャップ内に周縁に沿って配されるであろうことが好ましい。好ましい実施形態によれば、小身５２は、スナップリング、自己粘性粘着物、カム機構、および、外側カバーの安全廃棄用キャップからの除去を提供するその他のロック機構であってもよい。さらに、好ましい実施形態によれば、安全廃棄用キャップは、図４に図示されるように、外側カバーの外側に配される安全廃棄用キャップにかわって、外側カバーの中に安全廃棄用キャップが配されていてもよい。他の実施形態は、外側カバーの内側にフランジを有することにより作成され、また、それによって安全キャップの外側に配された小身が恒久的な方法でロックする。図５について、小身５２は、外側の遮蔽物が安全廃棄用キャップから除去されることを避けるために多数の異なる実施形態を有することができる。図示されているのは、再封止可能なスカート７０を備えた図３の他の実施例の断面図である。再封止可能なスカート７０は、基端開口部７２と、その中に配されるラビリンスとを有している。ラビリンス７４は、スレッド構造、スナップ嵌合、または外側カバーとの取外し可能な取り付けを提供するその他のいかなる構造であってもかまわない。該ラビリンスは、外側カバーにおいてニードルの殺菌を許容するであろう。この他の実施例においては、小身切除部分２２は、安全廃棄用キャップと外側カバーとの間に漏れ耐久および気密密封を提供すべく除去される。そのような実施形態において、安全廃棄用キャップは、外側カバーおよびペンニードルハブ・アセンブリが基端開口部７２に配される場合、殺菌防御壁として使用され得る。ニードルが使用された後、外側カバーとペンニードルハブ・アセンブリは、末端開口部６６に配され、小身は、キャップを外側カバーに恒久的にロックし、ニードルおよび患者が受け入れる側の端部とその反対側の端部の両方との接触を防止する。
【００２３】
ニードルハブの使用後、外側カバーは、ニードルハブ上の元の位置に戻され、該外側カバーとニードルハブは、小身の末端面２６２と基端面２６０に配された末端開口部６６中に位置される。好ましい実施形態と同様、小身の基端面２６０は、フランジが安全廃棄用キャップから除去されることを防止する。小身の末端面２６２は、外側カバーのフランジが末端開口部６６に入り、小身の基端面２６０の下にロックされるのを許容するよう形作られている。図５に図示されるように、印４８は、内面または外面の何れの側にも位置されることができる。そのような印は、印に含まれるか、または他の類するラベルに含まれるような製品の殺菌またはシャープスについての警告を示すであろう。
【００２４】
図６乃至１１について、図示されているのは、本発明の別の実施形態である。図示されているのは、外面１４６、内面１４４および末端面１４５、および頂部１４７を含む安全廃棄用キャップ１０４である。印は、前述したように、外面上に位置されてもよい。キャップ１０４は、フランジ２０がキャップ１０４に摺動可能に係合するのを許容すべく開口部１４３をさらに含む。フランジ２０がキャップ１０４に入る際に、小身のロック用基端面１６０と末端面１６２を有する少なくとも一つの半径方向に向かう小身１５２が、末端面１６２と接触するフランジ２０によって偏向される。この実施形態において、フランジは、側面１９を有する。側面１９は、基端面１６０と接触するようになることによって、外側カバーとニードルアセンブリが安全廃棄用キャップから滑り落ちるのを防止する。
【００２５】
図８に図示されるように、基端面１６０をフランジ２０の側面に接触させることにより、基端面１６０が外側カバーとペンニードル・アセンブリをキャップの中に恒久的にロックする。末端面１６２の傾斜した輪郭とは異なり、基端面およびフランジ側面は、ともに垂直平面であるため、外側カバーとペンニードル・アセンブリは、キャップ内にロックされる。図７のとおり、フランジがキャップ１０４に入る際に、半径方向に向いた小身１５２は、小身の基端面１６０がフランジ２０のキャップからの除去を防止すべく閉じる。フランジ２０は、図１１に図示されるように、安全装置７６により、キャップから除去されることも防止される。安全装置７６は、フランジの末端側面５６と基端側面５４をキャップ１０４の末端面１４５と内面１４４中にロックする。内面１４４は、ニードルの基端部を露出から防止、保護する。この実施形態において、キャップが外側カバーおよびペンニードルハブから除去されるのを防止するフランジの基端側面５４と末端側面５６とのキャップの接触面は、内面と末端面である。よって、この実施形態では、キャップの内面、末端面および小身は、キャップを外側カバーにロックするために使用される。
【００２６】
図１２において、フランジがキャップ１０４から除去されることを防止する小身１７６と置き替えられた安全装置７６を有する安全廃棄用キャップ２０４が図示されている。キャップ２０４は、図１１の小身１５２と同様に機能する小身２５２も有している。小身１５２が小身１６２の替わりに使用され得ることも本発明の範囲内である。そのような装置において、小身１７６は、好ましい実施形態において安全装置７６の替わりに使用されるであろう。図６乃至１１に示されるとおり、フランジの側面は、小身の基端面と接触させることにより、外側カバーがキャップから除去されることを防止する。
【００２７】
小身は、キャップが外側の防壁に係合された後は、外部の工具の補助なしには安全キャップを除去することが困難となるよう寸法づけられている。しかしながら、キャップが外側カバーに適合されたとき、小身の構造は、外部の工具を必要としないで外側カバーへのキャップの容易な取り付けを提供する。
【００２８】
カバーとキャップの材料は、貫入抵抗材料からなる。そのような貫入抵抗材料とは、例えば、ポリエチレン、ポリプロピレン、対衝撃性のポリスチレン、ポリカーボネート、ポリメタクリル酸メチル、および当業者に周知のその他の材料であるが、それらに限定されない。
【００２９】
図１３乃至１８に関して、図示されているのは、図１に記載された本発明の他の実施形態である。図示されているのは、安全廃棄用キャップ３０４である。キャップ３０４は、少なくとも一つの小身３５２とフランジ拡張部分１２０を備える。このキャップは、その中に配される外側カバー用のホール３１０を含む。該外側カバーは、ホール３１０を通り抜けて配されるとき、外側カバーのフランジがレッジ上に存するように、レッジ３１２上にとどまる。フランジの拡張部分１２０は、フランジの拡張部分を安全廃棄用キャップ３０４に取り付ける一体蝶番をさらに含む。安全廃棄用キャップ３０４は、基端面２４４と外面２４６を有する。キャップ３０４をフランジ拡張部分１２０に対して回転させる際、小身３５２はフランジ拡張部分１２０に配された係合ホール８０でロックする。好ましい実施形態と同様、小身は、恒久的なロックを提供し、フランジ拡張部分１２０からのキャップの除去は、外部の工具の補助なくしては不可能である。さらに、好ましい実施形態のごとく、キャップ３０４は、ニードルハブ・アセンブリ中のニードルの基端部からの偶発的なニードルの一突きに対する保護を提供する。
【００３０】
図１３に関して、図示されているのは、フランジの厚み「ｔ」と小身の内側の長さ「Ｔ」である。長さ「Ｔ」は、厚み「ｔ」の間隔よりも大きいのが好ましい。距離「Ｔ」は、基端面２４４と小身３５２の基端面３６０との間の間隔として決定される。小身の末端面３６２は、ホールに入るときに、小身の歪みを引き起こす。小身の末端面の輪郭と傾斜した形状が、この歪みをもたらす。
【００３１】
図１３乃至１８に記載の他の実施形態は、図１３に図示されるように、最初は開いた状態のキャップ３０４を有することによって機能するのが好ましい。外側カバーを配されたニードルハブは、その後、外側カバーの露出されたフランジがフランジ拡張部分、より好ましくはレッジ３１２、上に存するようにキャップ３０４のホール３１０通り抜けて位置される。その後、フランジ拡張部分は、キャップ３０４がフランジ拡張部分１２０上に固定するように外側カバーのフランジ拡張部分として機能する。さらに、キャップ３０４の基端面２４４は、一体蝶番を介して回動されるので、小身はフランジ拡張部分にロックされ得る。一体蝶番が当業者に周知の同様の接続手段と置き替えられ得ることは、本発明の範囲内である。そのような手段は、ピン、ループ、スクリュー等を含むが、これらに限定されない。
【００３２】
図１５乃至１７に図示されるように、ニードル３６の患者が受け入れるのと反対側の端部は、基端面２４４とは接触されない。フランジ拡張部分１２０は、キャップがロックされるときに基端面２４４と接触する基端側面３５４を有する。ホール８０は、図１５および１６に図示されるように、ロッキング・レッジ３５６に空隙を提供する。レッジ３５６は、小身３５２がキャップのホールに入りロックするときに、面３６０にロッキング抵抗をもたらす。面３６２は、小身がホールに入るようにするため、小身の歪みをもたらす。
【００３３】
図１８に示されているのは、図１７の拡大断面図である。図１７は、キャップがロックされた状態である。基端面３６０は、レッジ３５６と接している。該キャップは、工具を使用せずに開くことはできない。このロック機構は、使用済みニードルの患者が受け入れる側の端部とその反対側の端部に対する保護を与える。
【００３４】
【発明の効果】
図１乃至１８に記載の実施例は、単なる例示とみなされ、全ての安全廃棄用キャップを取上げているわけではない。むしろ、キャプ４とその他の実施例は、適当な寸法のフランジ厚と直径を有するペンニードル・アセンブリとともに用いられ得る。ニードルの基端部への露出を防止するペンニードル・アセンブリを提供する能力は、本発明およびその実施例によって飛躍的に高められた。
【図面の簡単な説明】
【図１】本発明による安全廃棄用キャップアセンブリの斜視図である。
【図２】図１のアセンブリの展開図および部分切取図である。
【図３】図２における全３−３に沿うキャップの断面図である。
【図４】外側カバーと該カバーに取りつけられたニードルハブアセンブリを備える図３の断面図である。
【図５】再封止可能なスカートを備える図３の断面図である。
【図６】図１に記載された発明の他の実施形態の透視図である。
【図７】安全キャップが部分的に組み立てられた図６の断面図である。
【図８】安全キャップが完全に組み立てられた図７の図である。
【図９】図６の正面図である。
【図１０】ロック機構を示す図８の拡大図である。
【図１１】図６の底面図である。
【図１２】安全装置を含まない図１１の図である。
【図１３】図１の本発明の他の実施形態の正面図である。
【図１４】図１３の平面図である。
【図１５】キャップを開放した状態で外側カバーとハブアセンブリに取り付けられた図１３の安全キャップを図示する断面図である。
【図１６】キャップが部分的に閉じられた図１５の図である。
【図１７】キャップが完全に閉じられた図１５の図である。
【図１８】図１７の拡大図である。
【符号の説明】
２    廃棄用アセンブリ
４、１０４、２０４、３０４    廃棄用キャップ
６    外側カバー
１０、３２、５６    末端部
１２、２１、３４    基端部
１４、１６    リブ
２０    フランジ
２２    小身切除部分
１９、２４    側面
２６、１４７    頂部
３０    ニードルハブ・アセンブリ
３６    ニードル
４０    ニードルハブ
４２、６０、１６０、２４４、２６０、３６０    基端面
４３    スレッド
４４、１４４    内面
４６、２４６    外面
４８    印
５２、１５２、１６２、１７６、２５２、３５２    小身
５４、３５４    基端側面
５６    末端側面
６４、８０、３１０    ホール
６６    末端開口部
７０    スカート
７２    基端開口部
７４    ラビリンス
８２    一体蝶番
１２０    フランジ拡張部分
３１２、３５６    レッジ
【図１】
0004822599.tif 000002
【図２】
0004822599.tif 000003
【図３】
0004822599.tif 000004
【図４】
0004822599.tif 000005
【図５】
0004822599.tif 000006
【図６】
0004822599.tif 000007
【図７】
0004822599.tif 000008
【図８】
0004822599.tif 000009
【図９】
0004822599.tif 000010
【図１０】
0004822599.tif 000011
【図１１】
0004822599.tif 000012
【図１２】
0004822599.tif 000013
【図１３】
0004822599.tif 000014
【図１４】
0004822599.tif 000015
【図１５】
0004822599.tif 000016
【図１６】
0004822599.tif 000017
【図１７】
0004822599.tif 000018
【図１８】
0004822599.tif 000019